(57)【要約】      （修正有）【課題】面状電熱採暖器具において、長尺のヒーター線を配設した両端からの放熱エネルギーの無駄遣いを防止する。【解決手段】面状電熱採暖器具の製造方法であって、下生地１Ｂの上面の適宜巾の周縁部を除いた内側の略全面の両側に折り返すために交互に設けた略Ｕ字状の複数の折り返し部位２ａと、両側の折り返し部位２ａを接続する略平行状態の複数の略直線部位２ｂとを備えたヒーター線２を配設する工程と、ヒーター線２を配設した下生地１Ｂに上生地１Ａを重ね合わせてヒーター線２の両側に交互に設けた複数の折り返し部位２ａの内側の略直線部位２ｂに沿って固着した固着部位３を形成する工程と、ヒーター線２の両側の複数の折り返し部位２ａの外側を包囲する封鎖部位３ａを固着する工程と、を含む。【選択図】図１
2012164546.tif 000002
【特許請求の範囲】
【請求項１】
夫々固着可能な上生地と下生地と、該上生地と下生地との間の何れか一方の周縁部の適宜箇所に取着した商業電源と電気的接続を行うためのコネクター又は電源コードと、該コネクター又は電源コードに接続した長尺のヒーター線と、を備えた面状電熱採暖器具の製造方法であって、前記下生地の上面の適宜巾の周縁部を除いた内側の略全面の両側に折り返すために交互に設けた略Ｕ字状の複数の折り返し部位と、該両側の折り返し部位を接続する略平行状態の複数の略直線部位とを備えたヒーター線を配設する工程と、前記ヒーター線を配設した下生地に前記上生地を重ね合わせて前記ヒーター線の両側に交互に設けた複数の折り返し部位の内側の前記略直線部位に沿って固着した固着部位を形成する工程と、前記ヒーター線の両側の複数の折り返し部位の外側を包囲する封鎖部位を固着する工程と、を含むことを特徴とする面状電熱採暖器具の製造方法。
【発明の詳細な説明】
【技術分野】
【０００１】
本発明は、上生地と下生地との間に蛇行させた長尺のヒーター線を配設した面状電熱採暖器具の製造方法に関するものであり、更に詳細には、ヒーター線の略Ｕ字状に折り返すために交互に配した両側の複数の折り返し部位と、両側の折り返し部位を接続する略平行状態の複数の略直線部位と、ヒーター線の周りの上生地と下生地とを固着した電気マット、電気カーペット、電気毛布、電気座布団、電気ソフトアンカ等の面状電熱採暖器具の製造方法に関するものである。
【背景技術】
【０００２】
従来、この種の電気毛布、電気カーペット、電気マット、電気座布団、電気ソフトアンカ等の上生地と下生地との固着は接着剤や粘着剤を用いた接着や、熱プレスによる熱溶着、糸による縫着等の手段で行われていたが、図２に図示するように、一定間隔を有して交互に略Ｕ字状の折り返し部位と、該折り返し部位の両側から延設させた略直線部位とで、上生地と下生地との固着を行い、その間隔部位にヒーター線を挿通させていた。
【０００３】
また、例えば、先に開示された、フェルトよりなる表生地３とフェルトよりなる裏生地２との間にヒーター線６及び温度検知線４を介在して面状からなる本体１を構成する面状採暖具において、前記フェルトよりなる裏生地２の床面側にその裏生地２を圧縮して凹部１１を形成するとともに、圧縮しないままの凸部１０を形成し、または前記裏生地２を圧縮して形成する凹部１１は、そのフェルトの繊維密度を密部で構成し、その厚さを凸部１０の厚さより薄くし、または前記裏生地２を、フェルト９と薄い基布８との二層で構成し、そのフェルト９側から部分的にフェルト９を圧縮することで凹部１１を形成すると同時に、この凹部１１の繊維を薄い基布８に絡みつかせて一体的に形成するもの（特許文献１参照）や、２枚の同種又は異種の片面有毛毛布が各有毛面が外側となるように重ね合われ、これらの各毛布間にヒーター線、センサー線等の電線が配線され、これらの配線を固定するように上記各毛布をキルティング縫製により袋帯状部を形成した電気毛布であって、上記配線を収納する袋帯状部の幅が１０〜２５ｍｍであり、かつ隣り合って走行するヒーター線、センサー線等の電線の間にほぼ平行な２本のキルティング縫製糸が配置され、それぞれの両端が他のキルティング縫製糸により結ばれているもの（特許文献２参照）等が開示されている。
【特許文献１】特開平１０−２８１４８１号公報
【特許文献２】実開昭６２−１８８２７１号公報
【発明の開示】
【発明が解決しようとする課題】
【０００４】
然し乍ら、前述の開示されている特許文献１〜２に記載のヒーター線は密着させており、オンオフ時のヒーター線の熱膨張に対応しておらず、また、図２に図したものは、一定間隔を有して交互に略Ｕ字状の折り返し部位と、該折り返し部位の両側から延設させた略直線部位とで、上生地と下生地との固着を行い、その間隔部位にヒーター線を挿通させており、つまり、両端が開口された筒状に形成されており、両端から放熱されてエネルギーの無駄遣いをしていた。
【課題を解決するための手段】
【０００５】
本発明は前記課題に鑑み、鋭意研鑽の結果、これらの課題を解決するもので、 固着可能な上生地と下生地と、上生地と下生地との間の周縁部の適宜箇所に取着したコネクター又は電源コードと、コネクター又は電源コードに接続した長尺のヒーター線と、を備えた面状電熱採暖器具の製造方法であって、下生地の上面の適宜巾の周縁部を除いた内側の略全面の両側に折り返すために交互に設けた略Ｕ字状の複数の折り返し部位と、両側の折り返し部位を接続する略平行状態の複数の略直線部位とを備えたヒーター線を配設する工程と、ヒーター線を配設した下生地に上生地を重ね合わせてヒーター線の両側に交互に設けた複数の折り返し部位の内側の略直線部位に沿って固着した固着部位を形成する工程と、ヒーター線の両側の複数の折り返し部位の外側を包囲する封鎖部位を固着する工程と、を含むものである。
【発明の効果】
【０００６】
本発明の面状電熱採暖器具の製造方法は、下生地の上面の適宜巾の周縁部を除いた内側の略全面の両側に折り返すために交互に設けた略Ｕ字状の複数の折り返し部位と、両側の折り返し部位を接続する略平行状態の複数の略直線部位とを備えたヒーター線を配設する工程と、ヒーター線を配設した下生地に上生地を重ね合わせてヒーター線の両側に交互に設けた複数の折り返し部位の内側の略直線部位に沿って固着した固着部位を形成する工程と、ヒーター線の両側の複数の折り返し部位の外側を包囲する封鎖部位を固着する工程と、を含むことにより、ヒーター線が固定されていないので熱や外部応力による負荷の影響も受けないもので、また、ヒーター線の両側の複数の折り返し部位の外側を包囲するように固着しているため、ヒーター線が配設された筒状のトンネルの両端が封鎖されており、熱が逃げることを防止する効果を有しており、画期的で実用性の高い有効な発明である。
【発明を実施するための最良の形態】
【０００７】
以下、本発明の面状電熱採暖器具の製造方法の実施の形態を図面によって具体的に説明すると、図１は本発明の面状電熱採暖器具の製造方法の実施例の説明のための平面図であり、図２は従来の面状電熱採暖器具の説明のための平面図である。
【０００８】
本発明は、上生地と下生地との間に蛇行させた長尺のヒーター線を配設した面状電熱採暖器具の製造方法に関するものであり、更に詳細には、ヒーター線の略Ｕ字状に折り返すために交互に配した両側の複数の折り返し部位と、両側の折り返し部位を接続する略平行状態の複数の略直線部位と、ヒーター線の周りの上生地と下生地とを固着した電気マット、電気カーペット、電気毛布、電気座布団、電気ソフトアンカ等の面状電熱採暖器具の製造方法に関するものであり、夫々固着可能な上生地１Ａと下生地１Ｂと、該上生地１Ａと下生地１Ｂとの間の何れか一方の周縁部の適宜箇所に取着した商業電源と電気的接続を行うためのコネクターＣ又は電源コードと、該コネクターＣ又は電源コードに接続した長尺のヒーター線２と、を備えた面状電熱採暖器具の製造方法であって、前記下生地１Ｂの上面の適宜巾の周縁部を除いた内側の略全面の両側に折り返すために交互に設けた略Ｕ字状の複数の折り返し部位２ａと、該両側の折り返し部位２ａを接続する略平行状態の複数の略直線部位２ｂとを備えたヒーター線２を配設する工程と、前記ヒーター線２を配設した下生地１Ｂに前記上生地１Ａを重ね合わせて前記ヒーター線２の両側に交互に設けた複数の折り返し部位２ａの内側の前記略直線部位２ｂに沿って固着した固着部位３を形成する工程と、前記ヒーター線２の両側の複数の折り返し部位２ａの外側を包囲する封鎖部位３ａを固着する工程と、を含むことを特徴とするものである。
【実施例】
【０００９】
即ち、面状電熱採暖器具とは、電気マット、電気カーペット、電気毛布、電気座布団、電気ソフトアンカ等の面状の暖房機器であり、基体は上生地１Ａと下生地１Ｂとの間にヒーター線２を配設しているもので、その基体の外側には適宜、柔軟な外布や弾性体による外装材（図示しない）を付設するものである。
【００１０】
そして、夫々固着可能な上生地１Ａと下生地１Ｂとは、織布、不織布が好適であり、異種素材でも同一素材でも構わないものであるが、固着を超音波溶着又は高周波溶着で実施する場合は溶着性が良い、ポリエステル不織布、ポリプロピレン不織布、ナイロン不織布、ポリエチレン不織布等を単体又は複合して使用でき、また、生地にラミネートして用いる場合のラミネートフィルムには、ポリエステルフィルム、ポリプロピレンフィルム、ナイロンフィルム、ポリエチレンフィルム等が好適なものである。
【００１１】
次に、コネクターＣ又は電源コードは商業電源と電気的接続を行うものであり、上生地１Ａと下生地１Ｂとの間の周縁部の少なくとも一カ所の適宜箇所に取着したものである。
【００１２】
次には、ヒーター線２は、コネクターＣ又は電源コードに接続されているもので、両端がコネクターＣ又は電源コードに接続された通電性の内部コアの発熱線とその絶縁性の合成樹脂の外皮から成る長尺なものである。
【００１３】
更に、下生地１Ｂの上面の適宜巾の周縁部を除いた内側の略全面に両側に折り返すために交互に設けた略Ｕ字状の複数の折り返し部位２ａと、両側の折り返し部位２ａを接続する略平行状態の複数の略直線部位２ｂとを備えたヒーター線２を配設する工程では、図１に図示するように、ヒーター線２の配設は上生地１Ａと下生地１Ｂとの間の適宜巾の周縁部を除いた内側に配設するものであり、図示するものは、コネクターＣから延設したもので、両側に交互に設けた複数の折り返し部位２ａと複数の略直線部位２ｂとを備えるもので、複数の折り返し部位２ａは上生地１Ａと下生地１Ｂとの周縁部を除いた内側に配設され、夫々の折り返し部位２ａを接続するように略平行状態の複数の略直線部位２ｂとを配設されたものである。
【００１４】
更には、ヒーター線２を配設した下生地１Ｂに上生地１Ａを重ね合わせてヒーター線２の両側に交互に設けた複数の折り返し部位２ａの内側の略直線部位２ｂに沿って固着した固着部位３を形成する工程とは、固着部位３を形成する手段は特に限定するものでなく、周知の手段で固着部位を形成するもので、上生地１Ａと下生地１Ｂとを固着するもので、固着部位３はヒーター線２の周りに遊び間隔を有したものが好適である。
【００１５】
そして、ヒーター線２の両側の複数の折り返し部位２ａの外側を包囲する封鎖部位３ａを固着する工程とは、図１に図示するように、ヒーター線２が収納されたトンネル状のスペースは両端を封鎖部位３ａで封鎖され、暖まった空気が漏れにくいもので省エネルギーに成るものである。
【００１６】
また、電気的な接続に必要なコネクターＣと蛇行するヒーター線２までの間の配線も両側を固着部位で固着することは勿論のことであり、更に、面状電熱採暖器具の上生地１Ａと下生地１Ｂとの周縁部を糸によって縢り縫着するものである。
【産業上の利用可能性】
【００１７】
本発明は、ヒーター線を下生地の上面の適宜巾の周縁部を除いた内側の略全面に両側に折り返すために交互に設けた略Ｕ字状の複数の折り返し部位と、両側の折り返し部位を接続する略平行状態の複数の略直線部位とを備えて配設する工程と、ヒーター線を配設した下生地に上生地を重ね合わせてヒーター線の両側に交互に設けた複数の折り返し部位の内側の略直線部位に沿って固着した固着部位を形成する工程と、ヒーター線の両側の複数の折り返し部位の外側を包囲するように封鎖部位を固着する工程と、を含むことにより、ヒーター線が固定されていないので熱や外部応力による負荷の影響も受けないもので、また、ヒーター線の両側の複数の折り返し部位の外側を包囲するように固着しているため、ヒーター線が配設された筒状のトンネルの両端が封鎖されており、熱が逃げることを防止する面状電熱採暖器具の製造方法を提供するものである。
【図面の簡単な説明】
【００１８】
【図１】図１は本発明の面状電熱採暖器具の製造方法の実施例の説明のための平面図である。
【図２】図２は従来の面状電熱採暖器具の説明のための平面図である。
【符号の説明】
【００１９】
Ｃ      コネクター
１Ａ    上生地
１Ｂ    下生地
２      ヒーター線
２ａ    折り返し部位
２ｂ    略直線状部位
３      固着部位
３ａ    封鎖部位
【図１】
2012164546.tif 000003
【図２】
2012164546.tif 000004